(57)【要約】【課題】従来のウエットスーツもしくはドライスーツの機能、および目的は、水中にて活動する際に、身体の保温を目的とするものであり、発熱することによる快適性の追求に着眼した素材は一例しか存在しなかった。しかしながら、その例は、使用前にある作業を必要とし、実用上問題があった。本発明は、使用前になんら特別な作業をすることなく、任意の物質が水もしくは塩水を吸着する際に発する吸着熱を利用することによりウエットスーツもしくはドライスーツ内の温度を上昇させ低水温時にも快適な活動を可能にさせるものである。【解決手段】既存のウエットスーツもしくはドライスーツに使用される独立気泡型ポリクロロプレン・スポンジに加え、吸水可能な連続する気泡型ポリクロロプレン・スポンジもしくはこれを被覆する素材に、合成ゼオライト、活性アルミナ、カプサイシンの３種もしくは、２種の任意の組み合わせ、もしくは単独の物質を混入し、水分を吸着する際に発する吸着熱を利用し、ウエットスーツもしくはドライスーツ内の温度を上昇させるものである。【選択図】図１
2005082914.tif 000002
【特許請求の範囲】
【請求項１】
吸水可能な連続する気泡型ポリクロロプレン・スポンジもしくはこれを被覆する素材に、合成ゼオライト、活性アルミナ、カプサイシンの３種もしくは、２種の任意の組み合わせ、もしくは単独の物質を混入し、水分を吸着する際に発する吸着熱を利用し、ウエットスーツもしくはドライスーツ内の温度を上昇させることを特徴とするポリクロロプレン・スポンジもしくはこれを被覆する素材。
【請求項２】
請求項１の特徴を持つポリクロロプレン・スポンジにより製作されたウエットスーツもしくはインナースーツ。
【請求項３】
請求項１の特徴を持つポリクロロプレン・スポンジを既存の独立気泡型ポリクロロプレン・スポンジの内側（身体側）に貼り付けたポリクロロプレン・スポンジ。
【発明の詳細な説明】
【技術分野】
【０００１】
本発明は既存の独立気泡型ポリクロロプレン・スポンジが持つ防水および断熱保温効果と異なり、吸水可能な連続する気泡型ポリクロロプレン・スポンジもしくはこれを被覆する素材に、合成ゼオライト、活性アルミナ、カプサイシンの３種もしくは、２種の任意の組み合わせ、もしくは単独の物質を混入し、水分を吸着する際に発する吸着熱を利用し、ウエットスーツもしくはドライスーツ内の温度を上昇させることを特徴とするポリクロロプレン・スポンジもしくはこれを被覆する素材に関する。
【背景技術】
【０００２】
従来の技術は、単に水中と身体の間にウエットスーツという形態により独立気泡型ポリクロロプレン・スポンジが持つ防水および断熱保温効果を利用し、身体を保温するものであった。また、改善例として防水ジッパーやジッパーレスによる構造的な保温効果を期待するものであった。
【発明の開示】
【発明が解決しようとする課題】
【０００３】
本発明は、独立気泡型ポリクロロプレン・スポンジが持つ防水および断熱保温効果のみならず、本発明物それ自体が発熱体として機能し、低水温時の水中での活動をより快適にさせうる手段および構造物を提供するものである。
【課題を解決するための手段】
【０００４】
本発明は、上記の課題を解決するため吸水可能な連続する気泡型ポリクロロプレン・スポンジもしくはこれを被覆する素材に、吸着剤として合成ゼオライト、活性アルミナ、カプサイシンの３種もしくは、２種の任意の組み合わせ、もしくは単独の物質を混入し、水分を吸着する際に発する吸着熱を利用し、ウエットスーツもしくはドライスーツ内の温度を上昇させる。概念図を図１に示す。
【発明の効果】
【０００５】
本発明の、吸水可能な連続する気泡型ポリクロロプレン・スポンジもしくはこれを被覆する素材に、吸着剤として合成ゼオライト、活性アルミナ、カプサイシンの３種もしくは、２種の任意の組み合わせ、もしくは単独の物質を混入した発明物は、インナースーツとして既存のウエットスーツもしくはドライスーツと併用し、発生した熱を既存の独立気泡型ポリクロロプレン・スポンジの防水および断熱保温効果により保温することで、低水温中にて快適に活動することを可能にする。もしくは、既存の独立気泡型ポリクロロプレン・スポンジと当該発明品を貼り合わせ当該発明品を身体側に設けるよう構成することで同様の効果が得られる。
【発明を実施するための最良の形態】
【０００６】
本発明の詳細を以下に説明する。
【０００７】
本発明は、合成ゼオライト、活性アルミナ、カプサイシンが水分を吸着することにより発熱することをその原理としている。
【０００８】
合成ゼオライトとしては、一般式（化学式１）ｘＭ２/ｎＯ・Ａｌ２Ｏ３・ｙＳｉＯ２・ｚＨ２Ｏ（ｎ＝１もしくは２）で表されるアルカリ金属、アルカリ土類金属の結晶性含水物が挙げられ、ポアサイズ１．０〜１０の範囲のものが好ましい。また、活性アルミナとしては、一般式（化学式２）Ａｌ２Ｏ３・０．５Ｈ２Ｏで表される酸化アルミニウムを指し、ポアサイズ１．０〜１０の範囲のものが好ましい。また、カプサイシンは赤唐辛子（レッドペッパー）から抽出される物質である。
【０００９】
合成ゼオライト、活性アルミナおよびカプサイシンの含有量は全重量に対し２０〜３０重量％が好ましいが利用者の水温環境、ジッパーから浸入する水量、体感温度の個人差等に左右される。
【００１０】
一般に合成ゼオライトの発熱速度は活性アルミナより速いが、この発熱速度と発熱持続時間は、ポリクロロプレンの吸水可能な連続する気泡の密度および合成ゼオライト、活性アルミナの形状により左右される。また、この発熱速度と発熱持続時間は、前記物質の形状を同一と仮定した場合、気泡の密度、すなわち水分の浸透速度を調節することで可能となる。
【実施例１】
【００１１】
実施例を説明すると、図２に示すように、本発明の吸水可能な連続する気泡型ポリクロロプレン・スポンジもしくはこれを被覆する素材に、吸着剤として合成ゼオライト、活性アルミナ、カプサイシンの３種もしくは、２種の任意の組み合わせ、もしくは単独の物質を混入してなるポリクロロプレン・スポンジを、１．５ｍｍ〜２ｍｍの厚さとし、インナースーツを製作する。インナースーツの形状は袖なし半ズボンタイプ、もしくは半袖半ズボンタイプが好ましい。
【実施例２】
【００１２】
他の実施例では、図３に示すように、既存の独立気泡型ポリクロロプレン・スポンジと、本発明の吸水可能な連続する気泡型ポリクロロプレン・スポンジもしくはこれを被覆する素材に、吸着剤として合成ゼオライト、活性アルミナ、カプサイシンの３種もしくは、２種の任意の組み合わせ、もしくは単独の物質を混入してなるポリクロロプレン・スポンジを貼り付け、身体側に当該発明物、水に触れる側に既存のポリクロロプレン・スポンジを設けて１枚のポリクロロプレン・シートとして利用することも可能である。添付図面に示す本発明の好ましい実施形態を記述する。これは好ましい実施形態を説明するものであるが、本発明はこれら実施例に限定されるものではなく、請求項に特定される概念、範囲に含まれる実施例、変形例を全て本願は含むものとする。
【図面の簡単な説明】
【００１３】
【図１】本発明の構造概念を図示したものである。
【図２】本発明の実施例１を図示したものである。
【図３】本発明の実施例２を図示したものである。
【図４】合成ゼオライトの発熱実験データを示したものである。
【符号の説明】
【００１４】
１    既存のポリクロロプレン・スポンジ部分。
２    吸水可能な連続する気泡型ポリクロロプレン・スポンジもしくはこれを被覆する素材に、吸着剤として合成ゼオライト、活性アルミナ、カプサイシンの３種もしくは、２種の任意の組み合わせ、もしくは単独の物質を混入してなるポリクロロプレン・スポンジ部分。
３    上記２に記したスポンジを使用して製作したインナースーツの形態。
【図１】
2005082914.tif 000003
【図２】
2005082914.tif 000004
【図３】
2005082914.tif 000005
【図４】
2005082914.tif 000006